【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
像形成に使用される回転体と、
検出対象に光を照射し、前記検出対象からの反射光を検出する検出手段と、
前記検出対象を前記回転体とし、前記検出手段の検出に基づき前記回転体における複数の測定位置における下地データを取得する第１取得手段と、
前記回転体上に形成された画像濃度を調整する為のトナー像を前記検出対象とし、前記検出手段の検出に基づき複数の測定位置における前記トナー像の濃度データを取得する第２取得手段と、
前記第１取得手段の取得結果における複数の測定位置の第１下地データに基づき前記濃度データを正規化し第１補正濃度データを演算すると共に、
前記取得結果における複数の測定位置の第２下地データであって、前記第１下地データから測定位置がずらされた前記第２下地データに基づき前記複数の測定位置の前記濃度データを正規化し第２補正濃度データを演算する演算手段と、
前記第１補正濃度データと前記第２補正濃度データのうち、各補正濃度データに含まれる複数の濃度値間のばらつきが小さい方を判断する判断手段と、を備え、
前記判断手段の判断に従い補正後の濃度データが取得されることを特徴とする画像形成装置。
【請求項２】
前記補正後の濃度データとされた前記第１補正濃度データ又は前記第２補正濃度データから前記回転体の周長を特定する特定手段をさらに備えることを特徴とする請求項１に記載の画像形成装置。
【請求項３】
前記判断手段は、前記各補正濃度データに含まれる複数の濃度値間のばらつきの度合を評価する評価手段を備えることを特徴とする請求項１又は２に記載の画像形成装置。
【請求項４】
前記評価手段は、
前記第１補正濃度データ及び前記第２補正濃度データにおいて、所定の演算式に従う演算により前記ばらつきの度合を評価することを特徴とする請求項３に記載の画像形成装置。
【請求項５】
前記トナー像として、各測定位置において異なる濃度を有するグラデーショントナー像、或いは、各測定位置において略均一の濃度を有する単色トナー像を形成する形成手段をさらに備えることを特徴とする請求項３又は４に記載の画像形成装置。
【請求項６】
前記トナー像は互いに色、或いは濃度の異なる複数のトナー像であり、
前記演算手段は、前記複数のトナー像の各々について前記第１補正濃度データ及び前記第２補正濃度データを演算し、
前記評価手段は、前記複数のトナー像の各々について、前記第１補正濃度データに含まれる複数の濃度値間のばらつき度合の評価値を求めると共にそれらを合計し、更に、前記複数のトナー像の各々について、前記第２補正濃度データに含まれる複数の濃度値間のばらつき度合の評価値を求めると共にそれらを合計し、
前記判断手段は、前記評価手段によって求められた前記第１補正濃度データの評価値の合計と、前記第２補正濃度データの評価値の合計と、に基づき、前記ばらつきが小さい方を判断することを特徴とする請求項３に記載の画像形成装置。
【請求項７】
像形成に使用される回転体を備え、前記回転体上にトナー像を形成し、前記トナー像の濃度を、前記回転体の下地データに従い補正し、補正後の濃度データを取得する画像形成装置であって、
検出対象に光を照射し、前記検出対象からの反射光を検出する検出手段と、
前記検出対象を前記回転体とし、前記検出に基づき前記回転体における複数の測定位置における下地データを取得する第１取得手段と、
前記回転体上に形成された画像濃度を調整する為のトナー像を前記検出対象とし、前記検出に基づき複数の測定位置における前記トナー像の濃度データを取得する第２取得手段と、
前記第１取得手段の取得結果における複数の測定位置の第１下地データと前記濃度データとの相関性を示す第１相関値を演算すると共に、
前記取得結果における複数の測定位置の第２下地データであって、前記第１下地データから測定位置がずらされた前記第２下地データと前記濃度データと相関性を示す第２相関値を演算する演算手段と、を備え、
前記トナー像は互いに色、或いは濃度の異なる複数のトナー像であり、
前記演算手段は、前記複数のトナー像の各々について前記第１相関値及び前記第２相関値を演算し、且つ前記複数のトナー像の各々の前記第１相関値を合計し、且つ前記複数のトナー像の各々の前記第２相関値を合計し、
更に、前記第１相関値の合計値と前記第２相関値の合計値とから相関性の高いほうを判断する判断手段を備え、
前記判断手段の判断により相関性が高いと判断されたほうの下地データに従い補正後の濃度データが取得されることを特徴とする画像形成装置。
【請求項８】
前記補正後の濃度データに基づき、画像形成条件の制御を行うことを特徴とする請求項１乃至７のいずれか１項に記載の画像形成装置。
【請求項９】
画像形成に使用される回転体と、
前記回転体に向けて光を照射し、反射光を検出する検出手段と、
前記検出手段の検出に基づき、前記回転体における画像濃度を調整するためのトナー像が形成されていない複数の測定位置における下地データを取得する第１取得手段と、
前記検出手段の検出に基づき、前記回転体における画像濃度を調整するためのトナー像が形成されている複数の測定位置における前記トナー像の濃度データを取得する第２取得手段と、
前記第１取得手段の取得結果における複数の測定位置の第１下地データに基づき前記濃度データを正規化し第１補正濃度データを演算すると共に、
前記取得結果における複数の測定位置の第２下地データであって、前記第１下地データから測定位置がずらされた前記第２下地データに基づき前記複数の測定位置の前記濃度データを正規化し第２補正濃度データを演算する演算手段と、
前記第１補正濃度データの各補正濃度データに含まれる複数の濃度値間のばらつきに関する値と、前記第２補正濃度データの各補正濃度データに含まれる複数の濃度値間のばらつきに関する値とを比較し、ばらつきに関する値の小さい前記第１補正濃度データ又は前記第２補正濃度データに基づき、画像形成条件を制御する制御手段と、を有することを特徴とする画像形成装置。
【請求項１０】
画像形成装置であって、
画像形成に使用される回転体と、
前記回転体に向けて光を照射し、反射光を検出する検出手段と、
前記検出手段の検出に基づき、前記回転体における画像濃度を調整するためのトナー像が形成されていない複数の測定位置における下地データを取得する第１取得手段と、
前記検出手段の検出に基づき、前記回転体における画像濃度を調整するためのトナー像が形成されている複数の測定位置における前記トナー像の濃度データを取得する第２取得手段と、
前記第１取得手段の取得結果における複数の測定位置の第１下地データと前記濃度データとの相関性を示す第１相関値を演算すると共に、
前記取得結果における複数の測定位置の第２下地データであって、前記第１下地データから測定位置がずらされた前記第２下地データと前記濃度データと相関性を示す第２相関値を演算する演算手段と
画像形成条件を制御する制御手段と、を備え、
前記トナー像は互いに色、或いは濃度の異なる複数のトナー像であり、
前記演算手段は、前記複数のトナー像の各々について前記第１相関値及び前記第２相関値を演算し、且つ前記複数のトナー像の各々の前記第１相関値を合計し、且つ前記複数のトナー像の各々の前記第２相関値を合計し、
前記制御手段は、前記第１相関値の合計値と前記第２相関値の合計値とを比較し、相関性の高い前記第１相関値又は前記第２相関値に応じた下地データに従い補正された濃度データに基づき、前記画像形成条件を制御することを特徴とする画像形成装置。
【手続補正２】
【補正対象書類名】明細書
【補正対象項目名】０００８
【補正方法】変更
【補正の内容】
【０００８】
本発明は、例えば、画像形成装置として実現できる。画像形成装置は、像形成に使用される回転体と、検出対象に光を照射し、検出対象からの反射光を検出する検出手段と、検出対象を回転体とし、検出手段の検出に基づき回転体における複数の測定位置における下地データを取得する第１取得手段と、回転体上に形成された画像濃度を調整する為のトナー像を検出対象とし、検出手段の検出に基づき複数の測定位置におけるトナー像の濃度データを取得する第２取得手段と、第１取得手段の取得結果における複数の測定位置の第１下地データに基づき濃度データを正規化し第１補正濃度データを演算すると共に、取得結果における複数の測定位置の第２下地データであって、第１下地データから測定位置がずらされた第２下地データに基づき複数の測定位置の濃度データを正規化し、第２補正濃度データを演算する演算手段と、第１補正濃度データと第２補正濃度データのうち、各補正濃度データに含まれる複数の濃度値間のばらつきが小さい方を判断する判断手段と、を備え、判断手段の判断に従い補正後の濃度データが取得されることを特徴とする。また、本発明は、像形成に使用される回転体を備え、前記回転体上にトナー像を形成し、前記トナー像の濃度を、前記回転体の下地データに従い補正し、補正後の濃度データを取得する画像形成装置であって、検出対象に光を照射し、前記検出対象からの反射光を検出する検出手段と、前記検出対象を前記回転体とし、前記検出に基づき前記回転体における複数の測定位置における下地データを取得する第１取得手段と、前記回転体上に形成された画像濃度を調整する為のトナー像を前記検出対象とし、前記検出に基づき複数の測定位置における前記トナー像の濃度データを取得する第２取得手段と、前記第１取得手段の取得結果における複数の測定位置の第１下地データと前記濃度データとの相関性を示す第１相関値を演算すると共に、前記取得結果における複数の測定位置の第２下地データであって、前記第１下地データから測定位置がずらされた前記第２下地データと前記濃度データと相関性を示す第２相関値を演算する演算手段と、を備え、前記トナー像は互いに色、或いは濃度の異なる複数のトナー像であり、前記演算手段は、前記複数のトナー像の各々について前記第１相関値及び前記第２相関値を演算し、且つ前記複数のトナー像の各々の前記第１相関値を合計し、且つ前記複数のトナー像の各々の前記第２相関値を合計し、更に、前記第１相関値の合計値と前記第２相関値の合計値とから相関性の高いほうを判断する判断手段を備え、前記判断手段の判断により相関性が高いと判断されたほうの下地データに従い補正後の濃度データが取得されることを特徴とする。また、本発明は、例えば、画像形成に使用される回転体と、前記回転体に向けて光を照射し、反射光を検出する検出手段と、前記検出手段の検出に基づき、前記回転体における画像濃度を調整するためのトナー像が形成されていない複数の測定位置における下地データを取得する第１取得手段と、前記検出手段の検出に基づき、前記回転体における画像濃度を調整するためのトナー像が形成されている複数の測定位置における前記トナー像の濃度データを取得する第２取得手段と、前記第１取得手段の取得結果における複数の測定位置の第１下地データに基づき前記濃度データを正規化し第１補正濃度データを演算すると共に、前記取得結果における複数の測定位置の第２下地データであって、前記第１下地データから測定位置がずらされた前記第２下地データに基づき前記複数の測定位置の前記濃度データを正規化し第２補正濃度データを演算する演算手段と、前記第１補正濃度データの各補正濃度データに含まれる複数の濃度値間のばらつきに関する値と、前記第２補正濃度データの各補正濃度データに含まれる複数の濃度値間のばらつきに関する値とを比較し、ばらつきに関する値の小さい前記第１補正濃度データ又は前記第２補正濃度データに基づき、画像形成条件を制御する制御手段と、を有することを特徴とする。また、本発明は、例えば、画像形成装置であって、画像形成に使用される回転体と、前記回転体に向けて光を照射し、反射光を検出する検出手段と、前記検出手段の検出に基づき、前記回転体における画像濃度を調整するためのトナー像が形成されていない複数の測定位置における下地データを取得する第１取得手段と、前記検出手段の検出に基づき、前記回転体における画像濃度を調整するためのトナー像が形成されている複数の測定位置における前記トナー像の濃度データを取得する第２取得手段と、前記第１取得手段の取得結果における複数の測定位置の第１下地データと前記濃度データとの相関性を示す第１相関値を演算すると共に、前記取得結果における複数の測定位置の第２下地データであって、前記第１下地データから測定位置がずらされた前記第２下地データと前記濃度データと相関性を示す第２相関値を演算する演算手段と画像形成条件を制御する制御手段と、を備え、前記トナー像は互いに色、或いは濃度の異なる複数のトナー像であり、前記演算手段は、前記複数のトナー像の各々について前記第１相関値及び前記第２相関値を演算し、且つ前記複数のトナー像の各々の前記第１相関値を合計し、且つ前記複数のトナー像の各々の前記第２相関値を合計し、前記制御手段は、前記第１相関値の合計値と前記第２相関値の合計値とを比較し、相関性の高い前記第１相関値又は前記第２相関値に応じた下地データに従い補正された濃度データに基づき、前記画像形成条件を制御することを特徴とする。